(57)【要約】  少なくとも第１〜第（ｎ＋１）のポート（ｎは２以上の整数）を有するスイッチングハブと、第１〜第ｎのポートにそれぞれ接続された第１〜第ｎのＩＰ機器と、第（ｎ＋１）のポートに接続されたＩＰアドレス設定装置と、を備えるＩＰ通信システムにおいて、ＩＰアドレス設定装置は、スイッチングハブに対し、第１のポートを開いた状態にするとともに第２〜第ｎのポートを閉じた状態にする第１のポートオープン指示を送信し、その後、第１のＩＰ機器に設定する第１のＩＰアドレスを送信し、スイッチングハブは、ＩＰアドレス設定装置から、第１のポートオープン指示を受信すると、第１のポートを開いた状態にするとともに第２〜第ｎのポートを閉じた状態にし、第１のＩＰアドレスを受信すると、該第１のＩＰアドレスを第１のＩＰ機器へ送信する。
2016051504.tif 000002
【特許請求の範囲】
【請求項１】
少なくとも第１〜第（ｎ＋１）のポート（ｎは２以上の整数）を有するスイッチングハブと、前記第１〜第ｎのポートにそれぞれ接続された第１〜第ｎのＩＰ機器と、前記第（ｎ＋１）のポートに接続されたＩＰアドレス設定装置と、を備えるＩＰ通信システムであって、
前記ＩＰアドレス設定装置は、
前記スイッチングハブに対し、前記第１のポートを開いた状態にするとともに前記第２〜第ｎのポートを閉じた状態にする第１のポートオープン指示を送信し、その後、前記第１のＩＰ機器に設定する第１のＩＰアドレスを送信し、
前記スイッチングハブは、
前記ＩＰアドレス設定装置から、前記第１のポートオープン指示を受信すると、前記第１のポートを開いた状態にするとともに前記第２〜第ｎのポートを閉じた状態にし、前記第１のＩＰアドレスを受信すると、該第１のＩＰアドレスを前記第１のＩＰ機器へ送信することを特徴とするＩＰ通信システム。
【請求項２】
請求項１に記載のＩＰ通信システムであって、
前記ＩＰアドレス設定装置は、
前記スイッチングハブに対し、前記第１のＩＰアドレスを送信した後、前記第２のポートを開いた状態にするとともに前記第２のポート以外の前記第１〜第ｎのポートを閉じた状態にする第２のポートオープン指示を送信し、その後、前記第２のＩＰ機器に設定する第２のＩＰアドレスを送信し、
前記スイッチングハブは、
前記ＩＰアドレス設定装置から、前記第２のポートオープン指示を受信すると、前記第２のポートを開いた状態にするとともに前記第２のポート以外の前記第１〜第ｎのポートを閉じた状態にし、前記第２のＩＰアドレスを受信すると、該第２のＩＰアドレスを前記第２のＩＰ機器へ送信することを特徴とするＩＰ通信システム。
【請求項３】
請求項２に記載のＩＰ通信システムであって、
前記ＩＰアドレス設定装置は、前記第１及び第２のＩＰアドレスの送信順序を定めるアドレス送信順序テーブルを有し、前記アドレス送信順序テーブルの送信順序に従い、前記スイッチングハブに対し、前記第１のＩＰアドレスを送信し、その後、前記第２のＩＰアドレスを送信することを特徴とするＩＰ通信システム。
【請求項４】
請求項１に記載のＩＰ通信システムであって、
前記ＩＰアドレス設定装置は、
前記第１のＩＰ機器の初期ＩＰアドレスを記憶し、
前記第１のポートオープン指示を送信した後、前記スイッチングハブを介して前記第１のＩＰ機器へ、前記第１のＩＰ機器に対する第１の確認情報を送信し、その後、前記スイッチングハブを介して前記第１のＩＰ機器から、前記第１の確認情報に対する第１の応答情報を受信し、前記初期ＩＰアドレスと、前記第１の応答情報に含まれる送信元ＩＰアドレスとが一致する場合に、前記第１のＩＰアドレスを送信することを特徴とするＩＰ通信システム。
【請求項５】
請求項１に記載のＩＰ通信システムであって、
前記ＩＰアドレス設定装置は、
前記第１のポートと、前記第１のＩＰアドレスを特定するための第１のＩＰアドレス情報とを対応付けて記憶しており、
前記第１のＩＰアドレス情報に基づき前記第１のＩＰアドレスを生成し、該生成した第１のＩＰアドレスを送信することを特徴とするＩＰ通信システム。
【請求項６】
請求項１に記載のＩＰ通信システムであって、
前記ＩＰアドレス設定装置は、
前記スイッチングハブに対し、前記第１〜第ｎのＩＰ機器にそれぞれ設定する第１〜第ｎのＩＰアドレスを送信した後、前記第１〜第ｎのポートを開いた状態にする全ポートオープン指示を送信し、その後、前記第１のＩＰ機器に設定する第１の機器情報ファイルを送信し、その後、前記第２のＩＰ機器に設定する第２の機器情報ファイルを送信し、
前記スイッチングハブは、
前記ＩＰアドレス設定装置から、前記全ポートオープン指示を受信すると、前記第１〜第ｎのポートを開いた状態にし、その後、前記第１の機器情報ファイルを受信すると、前記第１の機器情報ファイルを前記第１のＩＰ機器へ送信し、前記第２の機器情報ファイルを受信すると、前記第２の機器情報ファイルを前記第２のＩＰ機器へ送信することを特徴とするＩＰ通信システム。
【請求項７】
請求項６に記載のＩＰ通信システムであって、
前記ＩＰアドレス設定装置は、前記第１〜第ｎのＩＰ機器に設定する機器情報ファイルのうち、前記第１及び第２の機器情報ファイルの送信順序を定めるファイル送信順序テーブルを有し、前記ファイル送信順序テーブルの送信順序に従い、前記第１及び第２の機器情報ファイルを送信し、
前記ファイル送信順序テーブルは、
前記第１の機器情報ファイルが前記第１のＩＰ機器に設定される時間が、前記第２の機器情報ファイルが前記第２のＩＰ機器に設定される時間よりも長い場合、前記第１の機器情報ファイルを送信した後に前記第２の機器情報ファイルを送信するよう前記送信順序を定めることを特徴とするＩＰ通信システム。
【請求項８】
少なくとも第１〜第（ｎ＋１）のポート（ｎは２以上の整数）を有し、前記第１〜第ｎのポートにそれぞれ第１〜第ｎのＩＰ機器が接続されるスイッチングハブと、前記第（ｎ＋１）のポートにより接続されるＩＰアドレス設定装置であって、
前記スイッチングハブに対し、前記第１のポートを開いた状態にするとともに前記第２〜第ｎのポートを閉じた状態にする第１のポートオープン指示を送信し、その後、前記第１のＩＰ機器に設定する第１のＩＰアドレスを送信することを特徴とするＩＰアドレス設定装置。
【請求項９】
少なくとも第１〜第（ｎ＋１）のポート（ｎは２以上の整数）を有するスイッチングハブと、前記第１〜第ｎのポートにそれぞれ接続された第１〜第ｎのＩＰ機器と、前記第（ｎ＋１）のポートに接続されたＩＰアドレス設定装置と、を備えるＩＰ通信システムにおけるＩＰアドレス設定方法であって、
前記ＩＰアドレス設定装置が、前記スイッチングハブに対し、前記第１のポートを開いた状態にするとともに前記第２〜第ｎのポートを閉じた状態にする第１のポートオープン指示を送信するステップと、
前記ＩＰアドレス設定装置が、前記スイッチングハブに対し、前記第１のＩＰ機器に設定する第１のＩＰアドレスを送信するステップと、
前記スイッチングハブが、前記ＩＰアドレス設定装置から前記第１のポートオープン指示を受信すると、前記第１のポートを開いた状態にするとともに前記第２〜第ｎのポートを閉じた状態にするステップと、
前記スイッチングハブが、前記ＩＰアドレス設定装置から前記第１のＩＰアドレスを受信すると、前記第１のＩＰアドレスを前記第１のＩＰ機器へ送信するステップと、
を備えることを特徴とするＩＰアドレス設定方法。
【発明の詳細な説明】
【技術分野】
【０００１】
本発明は、ＩＰ（Internet Protocol）アドレスをＩＰ機器に設定する技術に関するものである。
【背景技術】
【０００２】
従来、例えば、列車の車両設備である複数のＩＰ機器（ネットワークカメラ等）に対し、それぞれ異なる機器情報（そのＩＰ機器の動作等を指定する情報）を設定する場合、作業者が、最初に各ＩＰ機器のＩＰアドレスを１台ずつ設定し、その後、該設定したＩＰアドレスを用いて、各ＩＰ機器の機器情報を設定していた。【０００３】
量産品であるＩＰ機器（ネットワークカメラ等）では、工場からの出荷時において、同種のＩＰ機器には同一の初期ＩＰアドレスが設定されている。したがって、同種のＩＰ機器を複数使用する場合、工場出荷時のＩＰアドレスを用いて通信することはできない。そのため、最初に、各ＩＰ機器のＩＰアドレスを設定する必要がある。【０００４】
なお、ＩＰ機器固有のＭＡＣアドレス（Media Access Control address）に基づき、ＩＰアドレスを任意のものに設定することも可能であるが、ＭＡＣアドレスは６桁の１６進数である。そのため、ＩＰ機器の数が多い場合は、ＭＡＣアドレスに基づきＩＰアドレスを設定する方法は、作業者が間違いを起こし易いので好ましくない。【０００５】
下記の特許文献１には、複数のＩＰ機器（ネットワークカメラ等）を備える列車監視システムにおいて用いられるＩＰ通信技術が記載されている。
【先行技術文献】
【特許文献】
【０００６】
【特許文献１】特開２０１２‐１２９９０８公報
【発明の概要】
【発明が解決しようとする課題】
【０００７】
本発明の目的は、複数のＩＰ機器に対し、それぞれＩＰアドレスを設定する技術を提供することにある。
【課題を解決するための手段】
【０００８】
上記課題を解決するための、本願発明のＩＰ通信システムの代表的な構成は、次のとおりである。すなわち、
少なくとも第１〜第（ｎ＋１）のポート（ｎは２以上の整数）を有するスイッチングハブと、前記第１〜第ｎのポートにそれぞれ接続された第１〜第ｎのＩＰ機器と、前記第（ｎ＋１）のポートに接続されたＩＰアドレス設定装置と、を備えるＩＰ通信システムであって、
前記ＩＰアドレス設定装置は、
前記スイッチングハブに対し、前記第１のポートを開いた状態にするとともに前記第２〜第ｎのポートを閉じた状態にする第１のポートオープン指示を送信し、その後、前記第１のＩＰ機器に設定する第１のＩＰアドレスを送信し、
前記スイッチングハブは、
前記ＩＰアドレス設定装置から、前記第１のポートオープン指示を受信すると、前記第１のポートを開いた状態にするとともに前記第２〜第ｎのポートを閉じた状態にし、前記第１のＩＰアドレスを受信すると、該第１のＩＰアドレスを前記第１のＩＰ機器へ送信することを特徴とするＩＰ通信システム。【０００９】
また、本願発明のＩＰアドレス設定装置の代表的な構成は、次のとおりである。すなわち、
少なくとも第１〜第（ｎ＋１）のポート（ｎは２以上の整数）を有し、前記第１〜第ｎのポートにそれぞれ第１〜第ｎのＩＰ機器が接続されるスイッチングハブと、前記第（ｎ＋１）のポートにより接続されるＩＰアドレス設定装置であって、
前記スイッチングハブに対し、前記第１のポートを開いた状態にするとともに前記第２〜第ｎのポートを閉じた状態にする第１のポートオープン指示を送信し、その後、前記第１のＩＰ機器に設定する第１のＩＰアドレスを送信することを特徴とするＩＰアドレス設定装置。【００１０】
また、本願発明のＩＰアドレス設定方法の代表的な構成は、次のとおりである。すなわち、
少なくとも第１〜第（ｎ＋１）のポート（ｎは２以上の整数）を有するスイッチングハブと、前記第１〜第ｎのポートにそれぞれ接続された第１〜第ｎのＩＰ機器と、前記第（ｎ＋１）のポートに接続されたＩＰアドレス設定装置と、を備えるＩＰ通信システムにおけるＩＰアドレス設定方法であって、
前記ＩＰアドレス設定装置が、前記スイッチングハブに対し、前記第１のポートを開いた状態にするとともに前記第２〜第ｎのポートを閉じた状態にする第１のポートオープン指示を送信するステップと、
前記ＩＰアドレス設定装置が、前記スイッチングハブに対し、前記第１のＩＰ機器に設定する第１のＩＰアドレスを送信するステップと、
前記スイッチングハブが、前記ＩＰアドレス設定装置から前記第１のポートオープン指示を受信すると、前記第１のポートを開いた状態にするとともに前記第２〜第ｎのポートを閉じた状態にするステップと、
前記スイッチングハブが、前記ＩＰアドレス設定装置から前記第１のＩＰアドレスを受信すると、前記第１のＩＰアドレスを前記第１のＩＰ機器へ送信するステップと、
を備えることを特徴とするＩＰアドレス設定方法。
【発明の効果】
【００１１】
上記構成によれば、複数のＩＰ機器に対し、それぞれＩＰアドレスを容易に設定することができる。
【図面の簡単な説明】
【００１２】
【図１】本発明の実施形態に係る列車のＩＰ機器の配置図である。
【図２】本発明の実施形態に係るＩＰ通信システムの構成図である。
【図３】本発明の実施形態に係る設定装置のポート番号・ＩＰアドレス対応テーブルである。
【図４】本発明の実施形態に係るＩＰアドレス設定シーケンス図（その１）である。
【図５】本発明の実施形態に係るＩＰアドレス設定シーケンス図（その２）である。
【図６】本発明の実施形態に係るＩＰアドレス設定シーケンス図（その３）である。
【図７】本発明の実施形態に係る設定装置の表示例（ＩＰアドレス設定中）である。
【図８】本発明の実施形態に係る設定装置の表示例（ＩＰアドレス設定済）である。
【発明を実施するための形態】
【００１３】
以下、本発明の実施形態について説明する。
図１は、本発明の実施形態に係る列車のＩＰ機器の配置図であり、車両１を上方から見たときの配置図である。ＩＰ機器とは、ＩＰアドレスを有し、該ＩＰアドレスを用いて、他のＩＰ機器と通信することのできる機器のことである。図１に示すように、車両１には、複数のＩＰ機器（カメラ２１、ＮＤＲ２２、モニタ２３、制御装置２４）が、スイッチングハブ（ＳＷＨ：中継装置）１１に信号接続されている。なお、図１の例の車両１は列車の先頭車両であるが、列車の中間車両においても、スイッチングハブ１１が設置され、そのスイッチングハブ１１に複数のＩＰ機器が信号接続される。
【００１４】
スイッチングハブ１１は、スイッチングハブ１１に接続されたＩＰ機器間の通信の中継を行うＩＰ機器である。詳しくは、スイッチングハブ１１に接続されたＩＰ機器から伝送情報（この伝送情報は宛先のＩＰアドレスを含む）を受信すると、該伝送情報の宛先のＩＰアドレスのＩＰ機器に対してのみ、上記伝送情報を送信する。スイッチングハブ１１と各ＩＰ機器との接続は、図１ではその概略を示し、詳しくは後述する。
【００１５】
カメラ（撮像装置）２１は、撮影対象物を撮像し、画像情報を生成して、スイッチングハブ１１を介し、例えば、画像情報を記録するネットワークデジタルレコーダ（ＮＤＲ）２２や、画像情報を表示するモニタ２３へ伝送する。図１の例では、車両１の外側に設けられたＤ１〜Ｄ４、車両１の内部に設けられたＶ１〜Ｖ４、Ｓ１〜Ｓ２、ＦＦの、計１１台のカメラ２１が設けられている。
【００１６】
ネットワークデジタルレコーダ（ＮＤＲ）２２は、カメラ２１からスイッチングハブ１１を介して受信した画像情報を記録する。モニタ２３は、カメラ２１からスイッチングハブ１１を介して受信した画像情報を、視覚できるように表示する。
【００１７】
制御装置（ＣＵ）２４は、スイッチングハブ１１を介して、各ＩＰ機器を制御する。例えば、カメラ２１の向きを変える。あるいは、ネットワークデジタルレコーダ２２に対し、どのカメラ２１からの画像情報を、どのタイミングで記録するのかを指示する。あるいは、モニタ２３に対し、どのカメラ２１からの画像情報を、どのタイミングで表示するのかを指示する。
【００１８】
図１に示すように、スイッチングハブ１１には、各ＩＰ機器に対しＩＰアドレスを設定するＩＰアドレス設定装置（ＳＵ）１２が信号接続されている。以降、ＩＰアドレス設定装置１２を単に設定装置１２とも称す。設定装置１２は、車両１に各ＩＰ機器を搭載した後、運用開始する前に、スイッチングハブ１１に接続される。そして、設定装置１２は、車両１に搭載されスイッチングハブ１１に接続された各ＩＰ機器に対し、それぞれのＩＰアドレスを設定する。
【００１９】
詳しく説明すると、車両１に各ＩＰ機器を搭載した後、運用開始する前の状態では、各ＩＰ機器のＩＰアドレスは、工場出荷時の初期ＩＰアドレスのままである。また、例えば、１１台のカメラ２１の初期ＩＰアドレスは互いに同一である。そのため、各ＩＰ機器のＩＰアドレスを、互いに識別可能なように書き換える必要がある。設定装置１２は、予め決められたアドレス変換リスト（後述する図３の対応テーブル）を用いて、各ＩＰ機器のＩＰアドレスを書き換える。
【００２０】
なお、本実施形態では、設定装置１２は、各ＩＰ機器に対しＩＰアドレスを設定した後、取り外されるが、設定装置１２をスイッチングハブ１１に常時接続するように構成してもよい。設定装置１２は、例えば、一般的なパーソナルコンピュータにより構成することができる。
【００２１】
図２は、本発明の実施形態に係るＩＰ通信システムの構成図である。
図２の例では、設定装置１２は、スイッチングハブ１１のポート１２（Ｐ１２：ポート番号１２のポート）に接続され、各ＩＰ機器は、ポート１２以外のポートに接続されている。設定装置１２をポート１２以外のポートに接続できることは、もちろんである。なお、ポート番号ｎのポートをポートｎと呼ぶ。
【００２２】
スイッチングハブ１１は、ＳＷＨ制御部１１ａと、ＳＷＨ記憶部１１ｂと、ポート１〜１６（Ｐ１〜Ｐ１６）とを備える。ＳＷＨ記憶部１１ｂとポート１〜１６は、ＳＷＨ制御部１１ａに信号接続されている。ポートとは、スイッチングハブ１１が外部との通信を行う出入口（通信ポート）である。
【００２３】
ＳＷＨ制御部１１ａは、ポート１〜１６を、それぞれ単独で、クローズ状態（閉じた状態）又はオープン状態（開いた状態）にすることができる。クローズ状態とは、そのポートが外部との通信を行うことのできない状態である。オープン状態とは、そのポートが外部との通信を行うことのできる状態である。
【００２４】
ＳＷＨ制御部１１ａは、ポートがオープン状態において、各ポートに接続されたＩＰ機器に対し、例えば周期的に、各ＩＰ機器のＩＰアドレスを問合せ、各ＩＰ機器から、そのＩＰアドレスを受信して取得する。そして、ポート番号とそのポートに接続されたＩＰ機器のＩＰアドレスとを対応付けて、ＳＷＨ記憶部１１ｂに書き込み、記憶させる。なお、ＩＰアドレスではなく、ＭＡＣアドレス等のＩＰ機器を特定可能な識別情報で対応付けを行ってもよい。
【００２５】
ＳＷＨ記憶部１１ｂは、ポート１〜１６にそれぞれ対応付けてＩＰアドレスを記憶する。つまり、ポート１〜１６にそれぞれ接続されたＩＰ機器のＩＰアドレスを記憶する。図２の例では、例えば、ポート１に対応するＩＰアドレスは、カメラ２１のＩＰアドレスであり、ポート１２に対応するＩＰアドレスは、設定装置１２のＩＰアドレスである。
【００２６】
したがって、運用開始する前の状態において車両１に各ＩＰ機器が搭載され、スイッチングハブ１１のポート１〜１６にそれぞれＩＰ機器が接続されると、ＳＷＨ制御部１１ａは、ポート１〜１６に接続されたＩＰ機器の初期ＩＰアドレス（工場出荷ＩＰアドレス）を受信して取得し、ポート番号とそのポートに接続されたＩＰ機器の初期ＩＰアドレスとを対応付けて、ＳＷＨ記憶部１１ｂに書き込み、記憶させる。
【００２７】
図２の例では、カメラ２１、ＮＤＲ２２、モニタ２３、制御装置２４等のＩＰ機器を代表させて、ＩＰ機器２０として、その構成を示す。ＩＰ機器２０は、ＩＰ機器制御部２０ａと、ＩＰ機器記憶部２０ｂとを備える。ＩＰ機器記憶部２０ｂは、ＩＰ機器制御部２０ａに信号接続されている。ＩＰ機器記憶部２０ｂには、当該ＩＰ機器２０のＩＰアドレスが記憶されている。工場出荷時には、ＩＰ機器記憶部２０ｂに、工場出荷時のＩＰアドレスである工場出荷ＩＰアドレスが記憶されている。
【００２８】
ＩＰ機器制御部２０ａは、スイッチングハブ１１から、ＩＰアドレスの問合せ電文を受信すると、そのＩＰ機器２０のＩＰアドレスを含む応答電文を、スイッチングハブ１１へ送信する。スイッチングハブ１１が送信するＩＰアドレスの問合せ電文には、送信元ＩＰアドレス情報（つまり、スイッチングハブ１１のＩＰアドレス）と、情報種別とが含まれる。情報種別は、この電文がＩＰアドレスの問合せ電文であることを示す。ＩＰ機器２０が送信する応答電文には、宛先ＩＰアドレス情報（つまり、スイッチングハブ１１のＩＰアドレス）と、送信元ＩＰアドレス情報（つまり、ＩＰ機器２０のＩＰアドレス）と、情報種別とが含まれる。情報種別は、この電文がＩＰアドレスの応答電文であることを示す。
【００２９】
ＩＰ機器制御部２０ａは、スイッチングハブ１１を介して、他のＩＰ機器２０から伝送情報を受信すると、該伝送情報の宛先ＩＰアドレスと、ＩＰ機器記憶部２０ｂに記憶した当該ＩＰ機器２０のＩＰアドレスとを比較し、両ＩＰアドレスが一致した場合に、上記伝送情報を当該ＩＰ機器２０が受け取るべき情報と判断する。
【００３０】
ＩＰ機器制御部２０ａは、スイッチングハブ１１を介して設定装置１２から、当該ＩＰ機器２０のＩＰアドレス書き換えを指示する伝送情報を受信すると、該伝送情報の宛先ＩＰアドレスが当該ＩＰ機器２０のＩＰアドレスと一致した場合に、上記伝送情報に含まれる書き換え用ＩＰアドレスで、ＩＰ機器記憶部２０ｂに記憶した当該ＩＰ機器２０のＩＰアドレスを書き換える。
【００３１】
設定装置（ＳＵ）１２は、ＳＵ制御部１２ａと、ＳＵ記憶部１２ｂと、操作表示部１２ｃとを備える。ＳＵ記憶部１２ｂと操作表示部１２ｃは、ＳＵ制御部１２ａに信号接続されている。操作表示部１２ｃは、操作者からの各種指示を示す入力を受け付ける操作部と、各種表示を行う表示部とを含むように構成される。操作部は、例えば、キーボードやマウス等で構成される。表示部は、例えば、ＬＣＤ（Liquid Crystal Display）等で構成される。操作表示部１２ｃを、操作部と表示部とが一体となったタッチパネル等で構成してもよい。
【００３２】
ＳＵ記憶部１２ｂは、スイッチングハブ１１の各ポートに接続されるＩＰ機器２０に設定すべきＩＰアドレス（設定ＩＰアドレス）を、スイッチングハブ１１の各ポート番号に対応付けて、ポート番号・ＩＰアドレス対応テーブル（以下、対応テーブルと略すことがある。）として記憶する。対応テーブルは、例えば、操作表示部１２ｃを介して、操作者により設定され変更される。対応テーブルは、設定ＩＰアドレスの代わりに、設定ＩＰアドレスを特定するＩＰアドレス情報を記憶するよう構成してもよい。なお、ＩＰアドレス情報は、設定ＩＰアドレスそのものであってもよい。
【００３３】
図３は、本発明の実施形態に係る設定装置のポート番号・ＩＰアドレス対応テーブルである。
図３の対応テーブルでは、スイッチングハブ１１の各ポートのポート番号１〜１６に対し、各ＩＰ機器２０に設定すべきＩＰアドレスを特定するＩＰアドレス情報が、それぞれ対応付けられている。例えば、ポート番号１には、ＩＰアドレス情報“１”が対応付けられ、ポート番号１６には、ＩＰアドレス情報“２１”が対応付けられている。
【００３４】
図３の例では、設定ＩＰアドレスを特定するＩＰアドレス情報を用いている。ＩＰアドレス情報は、設定ＩＰアドレスの一部（第４オクテット）を示している。設定ＩＰアドレスの第１〜第３オクテットは、同じ車両１に搭載されるＩＰ機器２０、つまり同じスイッチングハブ１１に接続されるＩＰ機器２０において、同一である。
【００３５】
例えば、図３のＩＰアドレス情報“１”は、ＩＰアドレス“１０．４２．２４９．１”の第４オクテットを示し、ＩＰアドレス“１０．４２．２４９．１”を意味する。図３の各ＩＰアドレス情報が特定するＩＰアドレスの第１〜第３オクテットは同一であり、この場合、“１０．４２．２４９”である。
【００３６】
このように、同じ車両１に搭載されるＩＰ機器２０（つまり、同じスイッチングハブ１１に接続されるＩＰ機器２０）の設定ＩＰアドレスの一部（第１〜第３オクテット）を共通とすることにより、対応テーブルのＩＰアドレス情報を、設定ＩＰアドレスの一部（第４オクテット）とすることができるので、対応テーブルへのＩＰアドレス情報の登録や変更が容易となる。また、第１〜第３オクテットを車両種別（先頭車両か中間車両かの種別）や車両番号（何番目の中間車両か）によって決めることで、IPアドレスの第１〜第３オクテットでIP機器がどの車両に設置されているかを区別することができる。さらに、上記実施例ではIPｖ４におけるIPアドレスの設定方法について記載したが、IPｖ６においても、車両種別や車両番号によって決まるセクションとＩＰ機器によって決まるセクションを分けることでＩＰｖ４と同様のＩＰアドレスの設定が可能である。
【００３７】
なお、ポート番号１２のポートは、設定装置１２が接続されるので、ＩＰアドレスを書き換える必要がない。したがって、図３の対応テーブルにおいて、ポート番号１２については、設定ＩＰアドレス（書き換え後のＩＰアドレス）を特定するＩＰアドレス情報は不要である。また、対応するポート番号のないＩＰアドレス情報“１９”は、スイッチングハブ１１のＩＰアドレスを示す。スイッチングハブ１１のＩＰアドレスは、従来技術の方法で、作業者により設定済みである。
【００３８】
図３の例の対応テーブルでは、さらに、ポート番号１〜１６に対し、各ＩＰ機器２０の機器名と、設定順序と、工場出荷ＩＰアドレスと、機器情報ファイル番号とが、それぞれ対応付けられている。
【００３９】
なお、図３の例では、１つのポート番号・ＩＰアドレス対応テーブルにより、ポート番号と、設定ＩＰアドレス（ＩＰアドレス情報）と、機器名と、設定順序と、工場出荷ＩＰアドレスと、機器情報ファイル番号とが対応付けられているが、これらの対応付けを、複数のテーブルを用いて行うようにしてもよい。例えば、ポート番号と設定ＩＰアドレスとを対応付けるテーブルと、設定ＩＰアドレスと機器名とを対応付けるテーブルと、機器名と機器情報ファイル番号とを対応付けるテーブルを、異なるテーブルとしてもよい。
【００４０】
機器名Ｄ１〜Ｄ４，Ｖ１〜Ｖ４，Ｓ１〜Ｄ２，ＦＦは、図１に示すように、いずれも同種のカメラ２１であり、これらの工場出荷ＩＰアドレスは互いに同一である。カメラ２１の設置場所により、それぞれ異なる機器名が付与され、それぞれ異なる機器情報を含む機器情報ファイルが設定される。機器情報とは、例えば、カメラ２１の向きや撮像角度等を指定する情報である。
【００４１】
機器名ＭＯＮ１〜ＭＯＮ２は、モニタ（表示装置）であり、これらの工場出荷ＩＰアドレスは互いに同一である。機器名ＳＵは設定装置１２、機器名ＮＤＲはネットワークデジタルレコーダ２２、機器名ＣＵは制御装置２４、機器名ＳＷＨはスイッチングハブ１１である。
【００４２】
設定順序は、ＳＵ制御部１２ａが各ＩＰ機器２０に対し、それぞれのＩＰアドレスを設定するときの順序（つまり、設定装置１２がスイッチングハブ１１へ設定ＩＰアドレスを送信するときのアドレス送信順序）や、それぞれの機器情報ファイルを設定するときの順序（つまり、設定装置１２がスイッチングハブ１１へ機器情報ファイルを送信するときのファイル送信順序）を示す。
【００４３】
なお、ＩＰアドレスを送信するときの順序と、機器情報ファイルを送信するときの順序とを異ならせる場合は、例えば、図３のテーブルに、ＩＰアドレス用の設定順序と、機器情報ファイル用の設定順序とを設けるようにすればよい。あるいは、図３のテーブルとは別に、ポート番号とＩＰアドレスの送信順序とを対応付けたアドレス送信順序テーブルや、ポート番号と機器情報ファイルの送信順序とを対応付けたファイル送信順序テーブルを設けるようにすればよい。また、例えば、ＩＰアドレスや機器情報ファイルの送信順序をポート番号順とするような場合は、図３のテーブルにおける設定順序を省略することができる。
【００４４】
図３の例では、最初に、設定順序が１であるポート番号１４のポートに接続されたＩＰ機器（機器名ＮＤＲのネットワークデジタルレコーダ２２）に対し、設定装置１２からスイッチングハブ１１を介して、設定ＩＰアドレスが送信される。この設定ＩＰアドレスは、設定装置１２において、ＩＰアドレス情報“１５”を第４オクテットとして含むように計算され生成される。例えば、設定ＩＰアドレス“１０．４２．２４９．１５”が生成される。そして、ネットワークデジタルレコーダ２２において、工場出荷ＩＰアドレス“ｃ”が、この設定ＩＰアドレスに書き換えられる。
【００４５】
次に、設定順序が２であるポート番号１のポートに接続されたＩＰ機器（機器名Ｄ１のカメラ２１）に対し、設定装置１２からスイッチングハブ１１を介して、設定ＩＰアドレスが送信される。この設定ＩＰアドレスは、設定装置１２において、ＩＰアドレス情報“１”を第４オクテットとして含むように生成される。そして、カメラ２１（Ｄ１）において、工場出荷ＩＰアドレス“ａ”が、この設定ＩＰアドレスに書き換えられる。
【００４６】
次に、設定順序が３であるポート番号２のポートに接続されたＩＰ機器（機器名Ｄ２のカメラ２１）に対し、設定装置１２からスイッチングハブ１１を介して、設定ＩＰアドレス情報が送信される。この設定ＩＰアドレスは、設定装置１２において、ＩＰアドレス情報“２”を第４オクテットとして含むように生成される。そして、カメラ２１（Ｄ２）において、工場出荷ＩＰアドレス“ａ”が、この設定ＩＰアドレスに書き換えられる。
【００４７】
こうして、ＩＰアドレス設定対象の全てのＩＰ機器２０に対し、図３の対応テーブルの設定順序に従って、各ＩＰ機器２０の記憶部２０ｂに記憶された工場出荷ＩＰアドレスが、それぞれの設定ＩＰアドレスに書き換えられる。
【００４８】
なお、ＳＵ記憶部１２ｂには、車両種別や車両番号別に作成された対応テーブルが、それぞれ記憶されている。また、ＳＵ記憶部１２ｂには、各ＩＰ機器２０に設定すべき機器情報ファイルが、その機器情報ファイルを特定する識別子である機器情報ファイル番号と対応付けられて、機器情報ファイルのバージョン毎に記憶されている。
【００４９】
ＳＵ制御部１２ａは、操作者からのＩＰアドレス設定指示を操作表示部１２ｃで受け付けると、上述したように、図３の対応テーブルに基づき、スイッチングハブ１１に接続された各ＩＰ機器２０に対し、それぞれの設定ＩＰアドレスを生成する。そして、ＳＵ制御部１２ａは、生成した設定ＩＰアドレスを、スイッチングハブ１１を介して、各ＩＰ機器２０へ送信する。そのとき、ＳＵ制御部１２ａは、上述したように、図３の対応テーブルの設定順序に基づき、各ＩＰ機器２０の設定ＩＰアドレスを送信する。
【００５０】
また、ＳＵ制御部１２ａは、設定ＩＰアドレスを送信した後、そのＩＰアドレスを用い、各ＩＰ機器２０に対し、スイッチングハブ１１を介して、機器情報ファイルを送信する。このとき、ＳＵ制御部１２ａは、図３の対応テーブルに設定された機器情報ファイル番号と設定順序に基づき、機器情報ファイルを送信する。詳しくは、図３のテーブルの設定順序に従い、図３のテーブルの機器情報ファイル番号で特定される機器情報ファイルを、ＳＵ記憶部１２ｂから読み出して、図３のテーブルで対応付けられるＩＰ機器２０に対し、スイッチングハブ１１を介して送信する。
【００５１】
ＳＷＨ制御部１１ａ、ＳＵ制御部１２ａ、機器制御部２０ａは、ハードウエア構成としては、それぞれ、ＣＰＵ（Central Processing Unit）と各制御部の動作プログラム等を格納するメモリを備えており、各ＣＰＵは、各動作プログラムに従って動作する。
【００５２】
次に、本発明の実施形態に係るＩＰアドレス設定シーケンスを説明する。
図４〜図６は、それぞれ、本発明の実施形態に係るＩＰアドレス設定シーケンス図の、その１、その２、その３である。このＩＰアドレス設定シーケンスにおいて、設定装置１２の動作はＳＵ制御部１２ａにより制御され、スイッチングハブ１１の動作はＳＷＨ制御部１１ａにより制御され、ＩＰ機器２０の動作は機器制御部２０ａにより制御される。
【００５３】
図４〜図６のＩＰアドレス設定シーケンスを行う前に、スイッチングハブ１１のＩＰアドレス設定と、設定装置１２のＩＰアドレス設定とを行う。設定装置１２のＩＰアドレス設定は、操作表示部１２ｃを用いて、従来技術で操作者により行われる。スイッチングハブ１１のＩＰアドレス設定は、スイッチングハブ１１の操作表示部（不図示）を用いて、従来技術で操作者が行ってもよいし、スイッチングハブ１１に設定装置１２だけを接続した状態で、設定装置１２を用いて行ってもよい。
【００５４】
ＩＰアドレス設定が行われると、スイッチングハブ１１は再起動され、各ポートに接続されているＩＰ機器２０のＩＰアドレスを受信して取得する。そして、ポート番号とそのポートに接続されたＩＰ機器のＩＰアドレスとを対応付けて、ＳＷＨ記憶部１１ｂに記憶する。
【００５５】
その後、図４に示すように、まず、操作表示部１２ｃにおいて、操作者からの車両種別選択を受け付け（図４のステップＳ１）、操作者からの車両番号入力を受け付け（ステップＳ２）、操作者からの機器情報ファイルのバージョン選択を受け付け（ステップＳ３）た後、操作者からのＩＰアドレス設定指示、つまり開始ボタン押下を受け付ける（ステップＳ４）。
【００５６】
開始ボタン押下を受け付けると、設定装置１２は、操作者に指示された車両種別と車両番号に応じた対応テーブルを選択する。そして、設定装置１２は、設定装置１２が接続されているポートを除くスイッチングハブ１１の全てのポートを閉じる全ポートクローズ指示を、スイッチングハブ１１へ送信する。例えば、設定装置１２は、設定装置１２が接続されているポート１２を除くスイッチングハブ１１の全てのポート（ポート１〜１１，１３〜１６）に関するポートクローズ指示を、１ポートずつ、順次、送信する。
【００５７】
ポートクローズされると、スイッチングハブ１１は、クローズされたポートを用いる通信を行うことができなくなる。つまり、クローズされたポートに対し外部から入力される電文を受信することができず、クローズされたポートから外部へ電文を送信することができなくなる。
【００５８】
本実施形態の例では、設定装置１２が接続されているポート以外の全ポートに対し、ポート番号順に、順次、ポートクローズ処理が行われる。もし、ＩＰ機器２０が接続されていないポートがある場合は、そのポートもクローズする。設定装置１２は、まず、ポート番号１のポート（ポート１）に対するポートクローズ指示を、スイッチングハブ１１へ送信する（ステップＳ５）。スイッチングハブ１１では、ポート１のポートクローズ指示を受信すると、ポート１のポートクローズ処理を行う（ステップＳ６）。
【００５９】
設定装置１２が送信するポートクローズ指示電文には、宛先を示す宛先ＩＰアドレス情報と、送信元を示す送信元ＩＰアドレス情報と、クローズ対象のポートを指定する指定ポート番号情報と、ポートを閉じるよう指示するクローズ指示情報とが含まれる。
【００６０】
宛先ＩＰアドレス情報は、ポートクローズ指示電文の宛先であるＩＰ機器２０を指定する情報であり、具体的には、スイッチングハブ１１のＩＰアドレスである。送信元ＩＰアドレス情報は、ポートクローズ指示電文の送信元であるＩＰ機器２０を指定する情報であり、具体的には、設定装置１２のＩＰアドレスである。
【００６１】
次に、設定装置１２は、ポート２に対するポートクローズ指示を、スイッチングハブ１１へ送信する（ステップＳ７）。スイッチングハブ１１では、ポート２のポートクローズ指示を受信すると、ポート２のポートクローズ処理を行う（ステップＳ８）。こうして、設定装置１２が接続されているポートを除き、スイッチングハブ１１の全てのポートがクローズされる（ステップＳ９）。
【００６２】
クローズ対象の全てのポートをクローズした後、設定装置１２は、図３の対応テーブルの設定順序に従い、順次、各ＩＰ機器２０にＩＰアドレスを設定する。本実施形態では、ＩＰアドレスを設定されると、各ＩＰ機器２０は、自動的に再起動される。なお、ＩＰアドレスを設定されても再起動しないように構成することも可能である。
【００６３】
まず、設定装置１２は、図３の対応テーブルの設定順序が１番目のポート１４に対し、ＩＰアドレスを設定する。
具体的には、設定装置１２は、まず、図３の対応テーブルを用いて、ポート１４に接続されたＩＰ機器２０の設定ＩＰアドレスを算出し生成する（ステップＳ１１）。図３の例では、ポート１４に接続されたＩＰ機器２０は、ネットワークデジタルレコーダ２２であり、対応テーブルのＩＰアドレス情報（第４オクテット）は、“１５”である。したがって、ネットワークデジタルレコーダ２２の設定ＩＰアドレスは、“１０．４２．２４９．１５”と算出される。
【００６４】
次に、設定装置１２は、ポート１４に対するポートオープン指示を、スイッチングハブ１１へ送信する（ステップＳ１２）。設定装置１２が送信するポートオープン指示電文には、宛先ＩＰアドレス情報（つまり、スイッチングハブ１１のＩＰアドレス）と、送信元ＩＰアドレス情報（つまり、設定装置１２のＩＰアドレス）と、オープン対象のポートを指定する指定ポート番号情報と、ポートを開けるよう指示するオープン指示情報とが含まれる。
【００６５】
前述した全ポートに対するポートクローズ指示と、ポート１４に対するポートオープン指示とにより、ポート１４を開いた状態にするとともにポート１２とポート１４以外のポート（ポート１〜１１，１３，１５，１６）を閉じた状態にするポートオープン指示が構成される。つまり、設定装置１２は、前述した全ポートに対するポートクローズ指示と、ポート１４に対するポートオープン指示とを送信することにより、ポート１４を開いた状態にするとともにポート１２とポート１４以外のポートを閉じた状態にするポートオープン指示を送信することになる。
【００６６】
スイッチングハブ１１では、ポート１４のポートオープン指示を受信すると、ポート１４のポートオープン処理を行う（ステップＳ１３）。これにより、設定装置１２とポート１４に接続されたネットワークデジタルレコーダ２２との間で、スイッチングハブ１１を介して、ＩＰ通信が可能となる。
【００６７】
次に、設定装置１２は、ポート１４に接続されたＩＰ機器２０（ネットワークデジタルレコーダ２２）に対し、ＰＩＮＧ確認情報（エコー要求）を送信する（ステップＳ１４）。設定装置１２が送信するＰＩＮＧ確認情報電文には、宛先ＩＰアドレス情報と、送信元ＩＰアドレス情報と、情報種別とが含まれる。情報種別は、この電文がＰＩＮＧ確認情報であることを示す。
【００６８】
ＰＩＮＧ確認情報は、宛先ＩＰアドレス情報で指定したＩＰ機器２０と通信ができるか否かを確認するためのものであり、後述のＰＩＮＧ応答情報が返信されるまで、例えば１０秒間の間に、繰り返し送信される。所定時間内にＰＩＮＧ応答情報が返信されない場合は、宛先ＩＰアドレス情報で指定したＩＰ機器２０からの応答が無い旨を、操作表示部１２ｃに表示し、次の設定順序（２番目）のポート１に対するＩＰアドレス設定処理に移行する。
【００６９】
ＰＩＮＧ確認情報電文の宛先ＩＰアドレス情報は、ＰＩＮＧ確認情報電文の宛先であるＩＰ機器２０を指定する情報であり、具体的には、ネットワークデジタルレコーダ２２の初期ＩＰアドレス（工場出荷ＩＰアドレス）である。この工場出荷ＩＰアドレスは、図３の対応テーブルから取得される。送信元ＩＰアドレス情報は、ＰＩＮＧ確認情報電文の送信元であるＩＰ機器２０を指定する情報であり、具体的には、設定装置１２のＩＰアドレスである。
【００７０】
スイッチングハブ１１では、設定装置１２からＰＩＮＧ確認情報電文を受信すると、ＰＩＮＧ確認情報電文の宛先ＩＰアドレスのＩＰ機器２０（ネットワークデジタルレコーダ２２）に対してのみ、受信したＰＩＮＧ確認情報電文を送信する。詳しくは、ＳＷＨ記憶部１１ｂに記憶されたポート番号とＩＰアドレスとの対応表（つまり、ポート番号とそのポートに接続されたＩＰ機器のＩＰアドレスとの対応表）を参照し、ポート１４に対してのみ、ＰＩＮＧ確認情報電文を送信する。
【００７１】
ネットワークデジタルレコーダ２２では、スイッチングハブ１１を介して、設定装置１２からＰＩＮＧ確認情報を受信すると、受信したＰＩＮＧ確認情報が自身宛てである場合に、つまり、受信したＰＩＮＧ確認情報の宛先ＩＰアドレスがネットワークデジタルレコーダ２２のＩＰアドレス（工場出荷ＩＰアドレス）である場合に、ＰＩＮＧ応答情報（エコー応答）を、スイッチングハブ１１を介して、設定装置１２へ送信する（ステップＳ１５）。
【００７２】
ネットワークデジタルレコーダ２２が送信するＰＩＮＧ応答情報電文には、宛先ＩＰアドレス情報と、送信元ＩＰアドレス情報と、情報種別とが含まれる。情報種別は、この電文がＰＩＮＧ応答情報であることを示す。
【００７３】
宛先ＩＰアドレス情報は、ＰＩＮＧ応答情報電文の宛先であるＩＰ機器２０を指定する情報であり、具体的には、設定装置１２のＩＰアドレスである。この設定装置１２のＩＰアドレスは、ＰＩＮＧ確認情報電文の送信元ＩＰアドレス情報から取得される。
【００７４】
送信元ＩＰアドレス情報は、ＰＩＮＧ確認情報電文の送信元であるＩＰ機器２０を指定する情報であり、具体的には、ネットワークデジタルレコーダ２２の工場出荷ＩＰアドレスである。この工場出荷ＩＰアドレスは、ネットワークデジタルレコーダ２２の工場出荷時に、ネットワークデジタルレコーダ２２の記憶部に設定されたものである。
【００７５】
設定装置１２は、ＰＩＮＧ応答情報を適正に受信することにより、所定の番号のポートに所定のＩＰ機器２０が正しく接続されていることを確認できる。詳しくは、設定装置１２は、ＰＩＮＧ応答情報の送信元ＩＰアドレス情報が、図３の対応テーブルのポート番号１４の工場出荷ＩＰアドレスと一致しているか否かを判定し、一致している場合に、所定の番号のポート（ポート１４）に所定のＩＰ機器２０（ネットワークデジタルレコーダ２２）が適正に接続されていることを確認できる。
【００７６】
設定装置１２は、ＰＩＮＧ応答情報を適正に受信できなかった場合は、ＰＩＮＧ確認情報の宛先ＩＰアドレス情報で指定したＩＰ機器２０からの応答が適正でない旨を、操作表示部１２ｃに表示し、次の設定順序（２番目）のポート１に対するＩＰアドレス設定処理に移行する。
【００７７】
設定装置１２は、ＰＩＮＧ応答情報を適正に受信した後、ネットワークデジタルレコーダ２２に対し、設定すべきＩＰアドレスを送信する（ステップＳ１６）。このＩＰアドレス送信電文には、宛先ＩＰアドレス情報と、送信元ＩＰアドレス情報と、情報種別と、データとが含まれる。情報種別は、この電文がＩＰアドレス設定情報であることを示す。データには、設定すべきＩＰアドレスが含まれる。
【００７８】
宛先ＩＰアドレス情報は、ＩＰアドレス送信電文の宛先であるＩＰ機器２０を指定する情報であり、具体的には、ネットワークデジタルレコーダ２２の工場出荷ＩＰアドレスである。この工場出荷ＩＰアドレスは、前述したように、図３の対応テーブルから取得される。送信元ＩＰアドレス情報は、ＩＰアドレス送信電文の送信元であるＩＰ機器２０を指定する情報であり、具体的には、設定装置１２のＩＰアドレスである。
【００７９】
スイッチングハブ１１では、設定装置１２からＩＰアドレス送信電文を受信すると、ＩＰアドレス送信電文の宛先ＩＰアドレスのＩＰ機器２０（ネットワークデジタルレコーダ２２）に対してのみ、受信したＩＰアドレス送信電文を送信する。
【００８０】
ネットワークデジタルレコーダ２２では、スイッチングハブ１１を介して、設定装置１２からＩＰアドレス送信電文を受信すると（ステップＳ１７）、ネットワークデジタルレコーダ２２の記憶部に記憶されていた工場出荷ＩＰアドレスを、受信したＩＰアドレス送信電文に含まれる設定ＩＰアドレスに書き換える（ステップＳ１８）。ＩＰアドレスが書き換えられると、ネットワークデジタルレコーダ２２は、自動的に再起動される。
【００８１】
設定装置１２は、ＩＰアドレス送信電文を送信した後、ポート１４に対するポートクローズ指示を、スイッチングハブ１１へ送信する（ステップＳ１９）。設定装置１２が送信するポートクローズ指示電文には、前述したように、宛先ＩＰアドレス情報（つまり、スイッチングハブ１１のＩＰアドレス）と、送信元ＩＰアドレス情報（つまり、設定装置１２のＩＰアドレス）と、対象のポートを指定する指定ポート番号情報と、ポートを閉じるよう指示するクローズ指示情報とが含まれる。
【００８２】
スイッチングハブ１１では、ポート１４のポートクローズ指示を受信すると、ポート１４のポートクローズ処理を行う（ステップＳ２０）。これにより、設定装置１２とポート１４に接続されたネットワークデジタルレコーダ２２との間で、ＩＰ通信が不可能となる。
【００８３】
次に、設定装置１２は、図３の対応テーブルの設定順序が２番目のポート１に対し、ＩＰアドレスを設定する。
具体的には、設定装置１２は、まず、対応テーブルを用いて、ポート１に接続されたＩＰ機器２０の設定ＩＰアドレスを算出する（ステップＳ２１）。
【００８４】
次に、設定装置１２は、ポート１に対するポートオープン指示を、スイッチングハブ１１へ送信する（ステップＳ２２）。ポートオープン指示電文の内容は、前述したとおりである。
【００８５】
スイッチングハブ１１では、ポート１のポートオープン指示を受信すると、ポート１のポートオープン処理を行う（ステップＳ２３）。これにより、設定装置１２とポート１に接続されたカメラ２１（Ｄ１）との間で、スイッチングハブ１１を介して、ＩＰ通信が可能となる。
【００８６】
次に、設定装置１２は、ポート１に接続されたＩＰ機器２０（カメラ２１（Ｄ１））に対し、スイッチングハブ１１を介して、ＰＩＮＧ確認情報（エコー要求）を送信する（ステップＳ２４）。ＰＩＮＧ確認情報電文の内容は、前述したとおりである。
【００８７】
スイッチングハブ１１では、設定装置１２からＰＩＮＧ確認情報電文を受信すると、ＰＩＮＧ確認情報電文の宛先ＩＰアドレスのＩＰ機器２０（カメラ２１（Ｄ１））に対してのみ、受信したＰＩＮＧ確認情報電文を送信する。
【００８８】
カメラ２１（Ｄ１）では、スイッチングハブ１１を介して、設定装置１２からＰＩＮＧ確認情報を受信すると、ＰＩＮＧ応答情報（エコー応答）を、スイッチングハブ１１を介して、設定装置１２へ送信する（ステップＳ２５）。ＰＩＮＧ応答情報電文の内容は、前述したとおりである。
【００８９】
設定装置１２は、前述したように、適正なＰＩＮＧ応答情報を受信することにより、所定の番号のポート（ポート１）に所定のＩＰ機器２０（カメラ２１（Ｄ１））が正しく接続されていることを確認できる。
【００９０】
設定装置１２は、適正なＰＩＮＧ応答情報を受信した後、カメラ２１（Ｄ１）に対し、スイッチングハブ１１を介して、設定すべきＩＰアドレスを含むＩＰアドレス送信電文を送信する（ステップＳ２６）。ＩＰアドレス送信電文の内容は、前述したとおりである。
【００９１】
スイッチングハブ１１では、設定装置１２からＩＰアドレス送信電文を受信すると、ＩＰアドレス送信電文の宛先ＩＰアドレスのＩＰ機器２０（カメラ２１（Ｄ１））に対してのみ、受信したＩＰアドレス送信電文を送信する。
【００９２】
カメラ２１（Ｄ１）では、スイッチングハブ１１を介して、設定装置１２からＩＰアドレス送信電文を受信すると（ステップＳ２７）、カメラ２１（Ｄ１）の記憶部に記憶されていた工場出荷ＩＰアドレスを、受信したＩＰアドレス送信電文に含まれる設定ＩＰアドレスに書き換える（ステップＳ２８）。ＩＰアドレスが書き換えられると、カメラ２１（Ｄ１）は、自動的に再起動される。
【００９３】
再起動に要する時間（再起動時間）は、ＩＰ機器２０により異なる。再起動時間は、例えば、ネットワークデジタルレコーダ２２の場合は２０〜３０分間であり、カメラ２１の場合は１分程度である。
【００９４】
本実施形態では、第１のＩＰ機器（例えばＮＤＲ２２）の再起動時間が、第２のＩＰ機器（例えばカメラ２１）の再起動時間よりも長い場合、第１のＩＰアドレスを送信した後に第２のＩＰアドレスを送信するよう送信順序を定める。したがって、本実施形態では、設定順序が１番目のネットワークデジタルレコーダ２２へＩＰアドレスを設定した後、ネットワークデジタルレコーダ２２の再起動中に、設定順序が２番目以降のカメラ２１（Ｄ１〜Ｄ４，Ｖ１〜Ｖ４等）へＩＰアドレスを設定し、再起動することができる。つまり、ネットワークデジタルレコーダ２２の再起動中に、並行して、カメラ２１（Ｄ１〜Ｄ４，Ｖ１〜Ｖ４等）を再起動することができる。
【００９５】
このように、本実施形態では、図３の対応テーブルの設定順序に従い、順次、ＩＰアドレスを設定するよう構成したので、再起動時間がより長いＩＰ機器のＩＰアドレスの設定順序を、再起動時間がより短いＩＰ機器のＩＰアドレスの設定順序よりも早い順序とすることができ、これにより、ＩＰ機器全体の再起動時間を短縮することができる。
【００９６】
設定装置１２は、ＩＰアドレス情報を送信した後、ポート１に対するポートクローズ指示を、スイッチングハブ１１へ送信する（ステップＳ２９）。ポートクローズ指示電文の内容は、前述したとおりである。
【００９７】
スイッチングハブ１１では、ポート１のポートクローズ指示を受信すると、ポート１のポートクローズ処理を行う（ステップＳ３０）。これにより、設定装置１２とポート１に接続されたカメラ２１（Ｄ１）との間で、ＩＰ通信が不可能となる。
【００９８】
こうして、スイッチングハブ１１のポートに接続された全てのＩＰ機器２０（ただし設定装置１２は除く）のＩＰアドレス書き換えが行われる（ステップＳ３１）。
【００９９】
ＩＰアドレス設定対象の全ＩＰ機器２０に対するＩＰアドレス書き換えが行われた後、設定装置１２は、スイッチングハブ１１のポートのうち、ＩＰ機器２０が接続されている全てのポート（ポート１〜１６）をオープン状態にする。つまり、設定装置１２は、ＩＰ機器２０が接続されている全てのポート（ポート１〜１６）のうち、設定装置１２が接続されているポート１２を除くスイッチングハブ１１の全てのポート（ポート１〜１１，１３〜１６）を開ける全ポートオープン指示を、スイッチングハブ１１へ送信する。詳しくは、設定装置１２は、スイッチングハブ１１のポート１〜１１，１３〜１６に関するポートオープン指示を、１ポートずつ、順次、送信する。
【０１００】
本実施形態の例では、ポート番号順に、順次、１ポートずつ、ポートオープン処理が行われる。
設定装置１２は、まず、ポート番号１のポート（ポート１）に対するポートオープン指示を、スイッチングハブ１１へ送信する（ステップＳ４１）。スイッチングハブ１１では、ポート１のポートオープン指示を受信すると、ポート１のポートオープン処理を行う（ステップＳ４２）。
【０１０１】
次に、設定装置１２は、ポート２に対するポートオープン指示を、スイッチングハブ１１へ送信する（ステップＳ４３）。スイッチングハブ１１では、ポート２のポートオープン指示を受信すると、ポート２のポートオープン処理を行う（ステップＳ４４）。こうして、設定装置１２が接続されているポート１２を除き、ＩＰ機器２０が接続されているスイッチングハブ１１の全てのポート（ポート１〜１１，１３〜１６）がオープンされる（ステップＳ４５）。もし、ＩＰ機器２０が接続されていないポートがある場合は、そのポートはオープンしない。
【０１０２】
オープン対象の全てのポートをオープンした後、スイッチングハブ１１は、書き換え後のＩＰアドレスを、ＩＰ機器２０から受信して取得する。そして、受信した書き換え後のＩＰアドレスで、ＳＷＨ記憶部１１ｂに記憶していたＩＰ機器２０のＩＰアドレスを書き換える。つまり、ＳＷＨ記憶部１１ｂに記憶されているポート番号とＩＰ機器２０のＩＰアドレスの対応付けを更新する。
【０１０３】
その後、設定装置１２は、スイッチングハブ１１のポートに接続された全てのＩＰ機器２０に対し、順次、ＰＩＮＧ確認情報を送信し、適正なＰＩＮＧ応答情報を受信することにより、所定の番号のポートに所定のＩＰ機器２０が正しく接続されていることを確認する。このＰＩＮＧ確認情報の宛先ＩＰアドレスは、書き換え後のＩＰアドレスである。
【０１０４】
本実施形態の例では、図３の対応テーブルの設定順序に従い、順次、ＰＩＮＧ確認情報を送信する。
【０１０５】
まず、設定装置１２は、対応テーブルの設定順序が１番目のＩＰ機器２０（ネットワークデジタルレコーダ２２）に対し、スイッチングハブ１１を介して、ＰＩＮＧ確認情報を送信する（ステップＳ５１）。このＰＩＮＧ確認情報の宛先ＩＰアドレスは、書き換え後のＩＰアドレスである。スイッチングハブ１１では、設定装置１２からＰＩＮＧ確認情報を受信すると、ＰＩＮＧ確認情報電文の宛先ＩＰアドレスのＩＰ機器２０（ネットワークデジタルレコーダ２２）に対してのみ、受信したＰＩＮＧ確認情報電文を送信する。
【０１０６】
ネットワークデジタルレコーダ２２では、スイッチングハブ１１を介して、設定装置１２からＰＩＮＧ確認情報を受信すると、受信したＰＩＮＧ確認情報が自身宛てである場合に、つまり、受信したＰＩＮＧ確認情報の宛先ＩＰアドレスがネットワークデジタルレコーダ２２のＩＰアドレス（書き換え後のＩＰアドレス）である場合に、ＰＩＮＧ応答情報（エコー応答）を、スイッチングハブ１１を介して、設定装置１２へ送信する（ステップＳ５２）。
【０１０７】
設定装置１２は、スイッチングハブ１１を介して、ネットワークデジタルレコーダ２２からＰＩＮＧ応答情報を受信すると、受信したＰＩＮＧ応答情報の送信元ＩＰアドレスが、対応テーブルで特定されるネットワークデジタルレコーダ２２のＩＰアドレス（書き換え後のＩＰアドレス）である場合に、つまり、適正なＰＩＮＧ応答情報を受信した場合に、ネットワークデジタルレコーダ２２のＩＰアドレスが正しく書き換えられて設定されたと判定する。
【０１０８】
次に、設定装置１２は、対応テーブルの設定順序が２番目のＩＰ機器２０（カメラ２１（Ｄ１））に対し、スイッチングハブ１１を介して、ＰＩＮＧ確認情報を送信する（ステップＳ５３）。このＰＩＮＧ確認情報の宛先ＩＰアドレスは、書き換え後のＩＰアドレスである。スイッチングハブ１１では、設定装置１２からＰＩＮＧ確認情報を受信すると、ＰＩＮＧ確認情報電文の宛先ＩＰアドレスのＩＰ機器２０（カメラ２１（Ｄ１））に対してのみ、受信したＰＩＮＧ確認情報電文を送信する。
【０１０９】
カメラ２１（Ｄ１）では、スイッチングハブ１１を介して、設定装置１２からＰＩＮＧ確認情報を受信すると、受信したＰＩＮＧ確認情報が自身宛てである場合に、つまり、受信したＰＩＮＧ確認情報の宛先ＩＰアドレスがカメラ２１（Ｄ１）のＩＰアドレス（書き換え後のＩＰアドレス）である場合に、ＰＩＮＧ応答情報（エコー応答）を、スイッチングハブ１１を介して、設定装置１２へ送信する（ステップＳ５４）。
【０１１０】
設定装置１２は、スイッチングハブ１１を介して、カメラ２１（Ｄ１）からＰＩＮＧ応答情報を受信すると、受信したＰＩＮＧ応答情報の送信元ＩＰアドレスが、対応テーブルで特定されるカメラ２１（Ｄ１）のＩＰアドレス（書き換え後のＩＰアドレス）である場合に、つまり、適正なＰＩＮＧ応答情報を受信した場合に、カメラ２１（Ｄ１）のＩＰアドレスが正しく書き換えられて設定されたと判定する。
【０１１１】
こうして、設定装置１２は、スイッチングハブ１１のポートに接続された全てのＩＰ機器２０に対し、順次、書き換え後のＩＰアドレスを宛先ＩＰアドレスとするＰＩＮＧ確認情報を送信し、適正なＰＩＮＧ応答情報を受信することにより、各ＩＰ機器２０のＩＰアドレスが正しく書き換えられて設定されたことを確認する（ステップＳ５５）。
【０１１２】
各ＩＰ機器２０のＩＰアドレスが正しく書き換えられたことを確認した後、設定装置１２は、スイッチングハブ１１のポートに接続されたＩＰ機器２０に対し、必要に応じて、順次、機器情報ファイルを送信する。本実施形態の例では、対応テーブルの設定順序に従い、順次、スイッチングハブ１１を介して機器情報ファイルを送信する。機器情報ファイルを受信して、その機器情報ファイルの内容が設定されると、そのＩＰ機器２０は、自動的に再起動される。
【０１１３】
例えば、設定装置１２は、対応テーブルの設定順序が１番目のＩＰ機器２０（ネットワークデジタルレコーダ２２）に対し、スイッチングハブ１１を介して、機器情報ファイルを送信、つまり、機器情報ファイルが含まれる機器情報ファイル送信電文を送信する（ステップＳ６１）。
【０１１４】
設定装置１２が送信する機器情報ファイル送信電文には、宛先ＩＰアドレス情報と、送信元ＩＰアドレス情報と、機器情報ファイル情報とが含まれる。
【０１１５】
宛先ＩＰアドレス情報は、機器情報ファイル送信電文の宛先であるＩＰ機器２０を指定する情報であり、具体的には、ネットワークデジタルレコーダ２２の書き換え後のＩＰアドレスである。送信元ＩＰアドレス情報は、機器情報ファイル送信電文の送信元であるＩＰ機器２０を指定する情報であり、具体的には、設定装置１２のＩＰアドレスである。
【０１１６】
スイッチングハブ１１では、設定装置１２から機器情報ファイル送信電文を受信すると、機器情報ファイル送信電文の宛先ＩＰアドレスのＩＰ機器２０（ネットワークデジタルレコーダ２２）に対してのみ、受信した機器情報ファイル送信電文を送信する。
【０１１７】
ネットワークデジタルレコーダ２２は、スイッチングハブ１１を介して、設定装置１２から機器情報ファイル送信電文を受信すると（ステップＳ６２）、受信した機器情報ファイル送信電文が自身宛てである場合に、つまり、受信した機器情報ファイル送信電文の宛先ＩＰアドレスがネットワークデジタルレコーダ２２のＩＰアドレス（書き換え後のＩＰアドレス）である場合に、受信した機器情報ファイル送信電文に含まれる機器情報ファイルを読み込んで、ネットワークデジタルレコーダ２２の記憶部に記憶し（ステップＳ６３）、その後、再起動を行う（ステップＳ６４）。つまり、ネットワークデジタルレコーダ２２は、読み込んだ機器情報ファイルの内容を実行する。
【０１１８】
次に、設定装置１２は、対応テーブルの設定順序が２番目のＩＰ機器２０（カメラ２１（Ｄ１））に対し、スイッチングハブ１１を介して、機器情報ファイルを送信する。こうして、機器情報ファイル送信対象の全てのＩＰ機器２０に対し、機器情報ファイルが送信される（ステップＳ６５）。そして、機器情報ファイルを受信した各ＩＰ機器２０において、受信した機器情報ファイルが読み込まれ実行される。
【０１１９】
機器情報ファイルの設定時間（機器情報ファイルがＩＰ機器２０に設定される時間）は、ＩＰ機器２０が、受信した機器情報ファイルを読み込んで記憶し、その後、再起動を行い、機器情報ファイルの内容を実行するのに要する時間であり、ほぼ再起動に要する時間（再起動時間）に等しい。再起動時間は、ＩＰ機器２０により異なる。前述したように、再起動時間は、例えば、ネットワークデジタルレコーダ２２の場合は２０〜３０分間であり、カメラ２１の場合は１分程度である。
【０１２０】
本実施形態では、第１のＩＰ機器（例えばＮＤＲ２２）に設定される第１の機器情報ファイルの設定時間が、第２のＩＰ機器（例えばカメラ２１）に設定される第２の機器情報ファイルの設定時間よりも長い場合、第１の機器情報ファイルを送信した後に第２の機器情報ファイルを送信するよう送信順序を定める。したがって、設定順序が１番目のネットワークデジタルレコーダ２２へ機器情報ファイルを設定中に、並行して、設定順序が２番目以降のカメラ２１（Ｄ１〜Ｄ４，Ｖ１〜Ｖ４等）へ機器情報ファイルを設定することができる。
【０１２１】
このように、本実施形態では、各ＩＰ機器２０へＩＰアドレスを設定した後、対応テーブルの設定順序に従い、順次、機器情報ファイルを送信するよう構成したので、機器情報ファイルの設定時間がより長いＩＰ機器の機器情報ファイルの設定順序を、機器情報ファイルの設定時間がより短いＩＰ機器の機器情報ファイルの設定順序よりも早い順序とすることができ、これにより、ＩＰ機器全体の機器情報ファイルの設定時間を短縮することができる。
【０１２２】
以上説明したように、本実施形態では、第１〜第（ｎ＋１）のポート（ｎは２以上の整数）を有するスイッチングハブ１１と、第１〜第ｎのポートにそれぞれ接続された第１〜第ｎのＩＰ機器と、第（ｎ＋１）のポートに接続された設定装置１２と、を備えるＩＰ通信システムにおいて、設定装置１２は、第１〜第ｎのポートのうち第ｍのポート（ｍは１〜ｎのいずれか）を開いた状態にするとともに第ｍのポート以外の第１〜第ｎのポートを閉じた状態にする第ｍのポートオープン指示を送信し、その後、第ｍのＩＰ機器に設定する第ｍのＩＰアドレスを送信する。
【０１２３】
また、スイッチングハブ１１は、設定装置１２から、第ｍのポートオープン指示を受信すると、第ｍのポートを開いた状態にするとともに第ｍのポート以外の第１〜第ｎのポートを閉じた状態にし、第ｍのＩＰアドレスを受信すると、該第ｍのＩＰアドレスを第ｍのＩＰ機器へ送信する．
【０１２４】
また、設定装置１２は、スイッチングハブ１１に対し、第１〜第ｎのＩＰ機器にそれぞれ設定する第１〜第ｎのＩＰアドレスを送信した後、第１〜第ｎのポートを開いた状態にする全ポートオープン指示を送信し、その後、第ｍのＩＰ機器に設定する第ｍの機器情報ファイルを送信する。
【０１２５】
例えば、ｎが１５、ｍが１の場合は、第１６のポート（ポート１２）に接続された設定装置１２は、スイッチングハブ１１に対し、第１〜第１５のポートのうち、例えば、第１のポート（ポート１４）を開いた状態にするとともに第１のポート以外の他のポート（ポート１〜１１，１３，１５，１６）を閉じた状態にする第１のポートオープン指示を送信し（ステップＳ５〜Ｓ１２）、その後、第１のＩＰ機器（ＮＤＲ２２）に設定する第１のＩＰアドレスを送信する（ステップＳ１６）。
【０１２６】
また、スイッチングハブ１１は、設定装置１２から、第１のポートオープン指示を受信すると、第１のポート（ポート１４）を開いた状態にするとともに第１のポート以外の他のポート（ポート１〜１１，１３，１５，１６）を閉じた状態にし、第１のＩＰアドレスを受信すると、該第１のＩＰアドレスを第１のＩＰ機器（ＮＤＲ２２）へ送信する。
【０１２７】
また、設定装置１２は、スイッチングハブ１１に対し、第１〜第１５のＩＰ機器にそれぞれ設定する第１〜第１５のＩＰアドレスを送信（ステップＳ１１〜Ｓ３１）した後、第１〜第１５のポートを開いた状態にする全ポートオープン指示を送信（ステップＳ４１〜Ｓ４５）し、その後、第１のＩＰ機器に設定する第１の機器情報ファイルを送信する（ステップＳ６１）。
【０１２８】
図７は、本発明の実施形態に係る設定装置の表示例（ＩＰアドレス設定中）である。詳しくは、ＩＰアドレス設定中の状態を、設定装置１２の操作表示部１２ｃに表示した例である。図８は、本発明の実施形態に係る設定装置の表示例（ＩＰアドレス設定済）である。詳しくは、ＩＰアドレス設定後の状態を、設定装置１２の操作表示部１２ｃに表示した例である。
【０１２９】
図７と図８において、Ｔｉｍｅは、ＩＰアドレス設定中の時刻又は設定終了時の時刻を示す。Ｃａｒ  ＩＤは、車両番号を示す。Ｄｅｖｉｃｅは、ＩＰ機器２０の機器名を示す。ＩＰ  Ａｄｄｒｅｓｓは、設定すべきＩＰアドレスを示す。Ｓｔａｔｕｓは、ＩＰアドレス設定処理における状態を示す。
【０１３０】
例えば、図７において、ＩＰ機器Ｄ１（カメラ２１）については、２０１４年４月２３日１６時９分１３秒現在において、ＩＰアドレス“１０．４２．２４９．１”を、設定装置１２が設定中、つまり、設定装置１２から送信中（ｔｒａｎｓｆｅｒ）であることを表示している。また、ＩＰ機器Ｄ２（カメラ２１）については、ＩＰアドレス“１０．４２．２４９．２”を、設定装置１２が設定準備完了（ｒｅａｄｙ）していることを表示している。設定準備完了とは、設定装置１２がＩＰアドレスを生成した後、送信待ちの状態である。
【０１３１】
また、図８において、ＩＰ機器Ｄ１（カメラ２１）については、２０１４年４月２３日１６時９分５８秒において、ＩＰアドレス“１０．４２．２４９．１”を、設定装置１２が設定完了、つまり、設定装置１２から送信完了した（Ｓｕｃｃｅｓｓ）ことを表示している。また、ＩＰ機器Ｄ２（カメラ２１）については、２０１４年４月２３日１６時１０分４７秒において、ＩＰアドレス“１０．４２．２４９．２”を、設定装置１２が設定完了した（Ｓｕｃｃｅｓｓ）ことを表示している。
【０１３２】
このように、ＩＰアドレス設定処理の状態を、設定装置１２の操作表示部１２ｃに表示するので、ＩＰアドレス設定の作業者は、ＩＰアドレス設定処理の進捗状況や、ＩＰアドレス設定が成功したか失敗したかの結果を容易に認識することができる。あるポートのＩＰアドレス設定が失敗した場合は、そのポートに対し、再度、ＩＰアドレス設定を試みるが、そのときは、ＩＰアドレス設定が完了していないポートの進捗状況や結果だけを表示することが好ましい。
【０１３３】
なお、図７と図８では、ＩＰアドレス設定処理の状態を表示したが、各ＩＰ機器における機器情報ファイルの設定状況（つまり、機器情報ファイルが読み込まれ実行される状況）を、図７と図８と同様な態様で表示するようにしてもよい。この場合、機器情報ファイルの名称や番号を、ＩＰ機器の機器名に対応付けて表示するのが好ましい。
【０１３４】
本実施形態によれば、少なくとも次の効果を奏する。
（ａ）設定装置１２が、スイッチングハブ１１に対し、第１〜第ｎのＩＰ機器２０がそれぞれ接続された第１〜第ｎのポートのうち、第１のポートを開いた状態にするとともに第２〜第ｎのポート（設定装置１２が接続されたポートを除く）を閉じた状態にする第１のポートオープン指示を送信し、その後、第１のＩＰ機器２０に設定する第１のＩＰアドレスを送信するよう構成したので、設定装置１２から複数のＩＰ機器２０に対し、ＩＰアドレスを設定又は変更することができる。
（ｂ）スイッチングハブ１１に接続された全てのＩＰ機器２０に対してＩＰアドレスを設定した後、設定装置１２が、スイッチングハブ１１に対し、各ＩＰ機器２０の機器情報ファイルを送信するよう構成したので、全体のＩＰアドレス設定時間又は全体の機器情報ファイル設定時間のうち少なくとも一方を短縮することができる。
（ｃ）設定装置１２が、機器情報ファイルの送信順序を定めるファイル送信順序テーブルの送信順序に従い、機器情報ファイルを送信するよう構成したので、全体の機器情報ファイル設定時間を短縮することが可能となる。
（ｄ）第１の機器情報ファイルが第１のＩＰ機器に設定される時間が、第２の機器情報ファイルが第２のＩＰ機器に設定される時間よりも長い場合、設定装置１２が、第１の機器情報ファイルを送信した後に第２の機器情報ファイルを送信するよう構成したので、全体の機器情報ファイル設定時間を短縮することが可能となる。
（ｅ）設定装置１２が、ＩＰアドレスの送信順序を定めるアドレス送信順序テーブルの送信順序に従い、スイッチングハブ１１に対し、ＩＰアドレスを送信するよう構成したので、全体のＩＰアドレス設定時間を短縮することができる。
（ｆ）設定装置１２が、スイッチングハブ１１に対し、ポートオープン指示を送信した後、ＩＰ機器２０に対する確認情報を送信し、スイッチングハブ１１から、前記確認情報に対する応答情報を適正に受信した場合に、ＩＰアドレスを送信するよう構成したので、適正なＩＰ機器２０に対してＩＰアドレスを設定することを確実に行える。
（ｇ）設定装置１２が、ＩＰ機器の初期ＩＰアドレスを記憶し、その初期ＩＰアドレスと応答情報に含まれる送信元ＩＰアドレスとが一致する場合に、ＩＰアドレスを送信するよう構成したので、ＩＰアドレス設定対象のＩＰ機器２０が適正であるか否かを容易に確認することができる。
（ｈ）設定装置１２が、スイッチングハブ１１に対し、機器情報ファイルを送信する前に、ＩＰ機器２０に対する確認情報を送信し、スイッチングハブ１１から、前記確認情報に対する応答情報を適正に受信した場合に、機器情報ファイルを送信するよう構成したので、適正なＩＰ機器２０に対して機器情報ファイルを設定することを確実に行える。
【０１３５】
なお、本発明は、上記実施形態に限定されるものではなく、その要旨を逸脱しない範囲で種々に変更が可能であることはいうまでもない。
【０１３６】
上記実施形態では、設定装置１２から、各ポートに対応するＩＰアドレスを送信した後、全てのポートを開いた状態にする全ポートオープン指示を送信し、その後、各ポートに対応する機器情報ファイルを送信するように構成した。しかし、各ポート毎に、ＩＰアドレスを送信した後、機器情報ファイルを送信するように構成してもよい。すなわち、設定装置１２から、第１のポートを開いた状態にするとともに他のポートを閉じた状態にするポートオープン指示を送信し、第１のポートに対応するＩＰアドレスを送信した後、第１のポートに対応する機器情報ファイルを送信し、その後、第２のポートを開いた状態にするとともに他のポートを閉じた状態にするポートオープン指示を送信し、第２のポートに対応するＩＰアドレスを送信した後、第２のポートに対応する機器情報ファイルを送信するように構成してもよい。
【０１３７】
また、上記実施形態では、全ポートクローズと全ポートオープンを、ポート番号の順に順次行うように構成したが、ポート番号の順に限られるものではなく、任意の順に行うよう構成することもできる。また、スイッチングハブの構成によっては、全ポートクローズと全ポートオープンを、１ポートずつ順次行うのではなく、一度にまとめて行うよう構成することも可能である。
【０１３８】
また、上記実施形態では、全てのポートをオープンした後、ポートオープン状態のままで、設定装置１２からＰＩＮＧ確認情報や機器情報ファイルを送信するように構成したが、設定装置１２からＰＩＮＧ確認情報や機器情報ファイルを送信する際に、必要なポートのみをオープンするように構成することも可能である。
【０１３９】
また、上記実施形態では、設定装置１２において設定ＩＰアドレスを算出し、該算出した設定ＩＰアドレスを、スイッチングハブ１１を介して、ＩＰ機器２０へ送信するように構成したが、設定ＩＰアドレスを特定するＩＰアドレス情報を、設定装置１２から送信し、スイッチングハブ１１又はＩＰ機器２０において受信したＩＰアドレス情報に基づき設定ＩＰアドレスを算出するように構成することも可能である。
【０１４０】
また、上記実施形態では、ＩＰ機器２０の初期ＩＰアドレスが工場出荷ＩＰアドレスである場合に、工場出荷ＩＰアドレスを設定ＩＰアドレスに書き換えたが、ＩＰアドレスの設定対象である初期ＩＰアドレスは、工場出荷ＩＰアドレスに限られるものではない。また、初期ＩＰアドレスが存在しない場合（ＩＰアドレスが未設定の場合）にも、本発明は適用可能である。
【符号の説明】
【０１４１】
１…車両、１１…スイッチングハブ（ＳＷＨ）、１１ａ…ＳＷＨ制御部、１１ｂ…ＳＷＨ記憶部、１２…ＩＰアドレス設定装置（ＳＵ）、１２ａ…ＳＵ制御部、１２ｂ…ＳＵ記憶部、１２ｃ…操作表示部、２０…ＩＰ機器、２０ａ…機器制御部、２０ｂ…機器記憶部、２１…カメラ（撮像装置）、２２…ネットワークデジタルレコーダ（ＮＤＲ）、２３…モニタ（ＭＯＮ：表示装置）、２４…制御装置（ＣＵ）。
【図１】
2016051504.tif 000003
【図２】
2016051504.tif 000004
【図３】
2016051504.tif 000005
【図４】
2016051504.tif 000006
【図５】
2016051504.tif 000007
【図６】
2016051504.tif 000008
【図７】
2016051504.tif 000009
【図８】
2016051504.tif 000010
【国際調査報告】
2016051504.tif 000011
2016051504.tif 000012